(57)【要約】【課題】運勢情報を利用する顧客を対象に、その身体部分の画像情報とパターン化画像情報とを照合し、照合整合率が最も大きいパターン化画像情報の運勢情報をその利用者が迅速に取得するシステムを提供することを目的とする。【解決手段】複数の運勢端末装置と通信ネットワークを介して接続することで、顧客にその運勢情報を提供するシステム運営機関が備える情報管理装置とから構成され、運勢端末装置は、顧客の身体部分の画像情報を取得するデジタルカメラ装置と、運勢情報を出力するプリンタ装置とから構成され、情報管理装置は、予め画像情報を分類したパターン化画像情報と、その運勢を設定した運勢情報とを登録したデータベースと、運勢端末装置からの画像情報とパターン化画像情報とを照合して、照合整合率が最も大きいパターン化画像情報に属する運勢情報をプリンタ装置に出力する画像情報照合手段とを備えることを特徴とする。【選択図】　　　　　図１
2004129872.tif 000002
【特許請求の範囲】
【請求項１】
運勢情報を日常生活に利用する顧客を対象に、その顧客の個人属性情報に基づいて、該当する運勢情報を提供するコンピュータシステムであって、
前記顧客が利用する複数の箇所に設置された運勢端末装置と、この運勢端末装置と通信ネットワークを介して接続することで、前記顧客にその運勢情報を提供するシステム運営機関が備える情報管理装置とから少なくとも構成され、
前記運勢端末装置は、前記顧客との対面形式にて、その身体部分の画像情報を前記個人属性情報として取得するためのデジタルカメラ装置と、前記運勢情報を出力するためのプリンタ装置とから少なくとも構成され、
前記情報管理装置は、予め収集した前記画像情報の形状の特徴からその画像情報を分類したパターン化画像情報と、このパターン化画像情報毎にその運勢を設定した運勢情報とを少なくとも登録したデータベースと、
前記運勢端末装置からの前記個人属性情報と前記パターン化画像情報とを照合し、そのパターン化画像情報の中で照合整合率が最も高いのパターン化画像情報に属する前記運勢情報を前記プリンタ装置に出力する画像情報照合手段とを少なくとも備えることを特徴とする運勢情報提供システム。
【請求項２】
前記個人属性情報と前記パターン化画像情報は、その画像の明暗に応じた所定の太さの線画で表現し、所定の太さに達していない線は空白に置き換えて変換されており、
また、前記個人属性情報と前記パターン化画像情報は、前記身体部分に応じた所定の分割方法によって複数の分割画像情報から構成されており、
前記画像情報照合手段は、前記線画の太さで表現した分割画像情報毎に照合し、前記個人属性情報と前記パターン化画像情報との照合過程に於いて、これまで照合したパターン化画像情報との照合整合率を下回った場合、そのパターン化画像情報との照合を中断して次のパターン化画像情報の照合を行う照合高速化手段を少なくとも含むことを特徴とする、請求項１に記載の運勢情報提供システム。
【請求項３】
前記個人属性情報と前記パターン化画像情報は、前記画像情報に加えて、性別情報、生年月日情報、および血液型情報の内、１つ以上の情報から構成されていることを特徴とする、請求項１、または請求項２に記載の運勢情報提供システム。
【請求項４】
前記運勢端末装置は、前記プリンタ装置に代えて、前記運勢情報を出力するための外部媒体記録装置を備えることを特徴とする、請求項１乃至請求項３の何れか１項に記載の運勢情報提供システム。
【請求項５】
前記運勢端末装置は、前記運勢情報の利用時間に応じた利用料金を投入する為の現金投入口、及び／又は前記利用料金に応じて利用時間が記録された利用料金前払い方式によるプリペイドカードを入出力する為のカード入出力装置と、
前記運勢情報の利用中に於ける利用残時間を表示する時間表示装置と、
前記運勢端末装置からの利用開始要求信号に応答して、前記現金投入口からの現金、及び／又は前記カード入出力装置からの前記プリペイドカードを受け付けて、前記運勢情報の利用中に於ける前記利用残時間を前記時間表示装置に表示すると共に、前記利用残時間の範囲内で、その利用残時間を監視する利用残時間監視手段と、
前記利用残時間監視手段で所定の前記利用時間が経過する度毎の前記利用残時間を前記プリペイドカードに登録する利用時間登録手段とを更に備え、
前記情報管理装置は、前記運勢端末装置からの利用終了要求信号を受け付けた際、又は前記利用残時間監視手段で前記利用残時間がゼロに達した際に、前記運性情報の提供を終了する運勢情報提供終了手段を更に備えることを特徴とする、請求項１乃至請求項４の何れか１項に記載の運勢情報提供システム。
【発明の詳細な説明】
【０００１】
【発明の属する技術分野】
本発明は、運勢情報を日常生活に利用する顧客を対象に、その顧客の個人属性情報に基づいて、該当する運勢情報を提供するコンピュータシステムに関するものである。
【０００２】
【従来の技術】
インターネットを介した様々な情報提供システムの普及に伴って、占い業界に於いても、その顧客の携帯無線電話などの端末装置を利用して、その個人属性に基づいた運勢情報を様々な利用分野で提供するシステムが構築されている。
【０００３】
そのシステム事例として、例えば、特開２００１−１１３０３５号に開示されている「相性占いサービス方法及びシステム」のように、その顧客の年代層としては、主に若年層のみをターゲットとしており、その顧客の運勢を占うために必要な入力情報としても、その性別、生年月日、血液型などの変化することのない基本情報にとどまっている。
【非特許文献１】
特開２００１−１１３０３５号公報（第２頁）
【０００４】
そのため、従来からの手相、人相などの変化していく形相を取り入れた占いを生活のイベントの中に取り入れてきた人達にとっては、このような対面形式による占いを容易に、かつ迅速に利用できるシステム環境が望まれている。
【０００５】
【発明が解決しようとする課題】
以上のような問題を解決するために本発明では、運勢情報を日常生活に利用する顧客を対象に、その顧客の身体部分の画像情報を含む個人属性情報と予め登録したパターン化画像情報とを照合し、そのパターン化画像情報の中で照合整合率が最も高いのパターン化画像情報に属する運勢情報をその利用者が容易に、かつ迅速に取得するためのコンピュータシステムを提供することを目的とする。
【０００６】
【課題を解決するための手段】
上記目的を達成するため、請求項１に記載の発明は、運勢情報を日常生活に利用する顧客を対象に、その顧客の個人属性情報に基づいて、該当する運勢情報を提供するコンピュータシステムであって、
前記顧客が利用する複数の箇所に設置された運勢端末装置と、この運勢端末装置と通信ネットワークを介して接続することで、前記顧客にその運勢情報を提供するシステム運営機関が備える情報管理装置とから少なくとも構成され、
前記運勢端末装置は、前記顧客との対面形式にて、その身体部分の画像情報を前記個人属性情報として取得するためのデジタルカメラ装置と、前記運勢情報を出力するためのプリンタ装置とから少なくとも構成され、
前記情報管理装置が、予め収集した前記画像情報の形状の特徴からその画像情報を分類したパターン化画像情報と、このパターン化画像情報毎にその運勢を設定した運勢情報とを少なくとも登録したデータベースと、
前記運勢端末装置からの前記個人属性情報と前記パターン化画像情報とを照合し、そのパターン化画像情報の中で照合整合率が最も高いのパターン化画像情報に属する前記運勢情報を前記プリンタ装置に出力する画像情報照合手段とを少なくとも備えることを特徴とする。
【０００７】
この請求項１の発明により、運勢情報を日常生活に利用する顧客は、その手相や人相などの昔からの対面形式による占いによって、その運勢情報を容易に取得することができる。このことは、占い業界にとっても、顧客の年代層を従来の若年層に加えて、中高年層まで広げることができる。
【０００８】
請求項２に記載の発明は、前記個人属性情報と前記パターン化画像情報が、その画像の明暗に応じた所定の太さの線画で表現し、所定の太さに達していない線は空白に置き換えて変換されており、
また、前記個人属性情報と前記パターン化画像情報が、前記身体部分に応じた所定の分割方法によって複数の分割画像情報から構成されており、
前記画像情報照合手段が、前記線画の太さで表現した分割画像情報毎に照合し、前記個人属性情報と前記パターン化画像情報との照合過程に於いて、これまで照合したパターン化画像情報との照合整合率を下回った場合、そのパターン化画像情報との照合を中断して次のパターン化画像情報の照合を行う照合高速化手段を少なくとも含むことを特徴とする。
【０００９】
この請求項２の発明により、予め収集した大量件数の画像情報との照合に於いて、その画像を線画による照合に置き換え、これまでの照合整合率を下回る画像情報との照合は中断することによって、その照合処理時間の高速化を計ることができ、これにより、運勢情報がプリントアウトされるまでの待ち時間による、顧客の苛立ちを解消することができる。
【００１０】
請求項３に記載の発明は、前記個人属性情報と前記パターン化画像情報が、前記画像情報に加えて、性別情報、生年月日情報、および血液型情報の内、１つ以上の情報から構成されていることを特徴とする。
【００１１】
この請求項３の発明により、画像情報による占い行う事業者は、顧客の個人属性情報として、画像情報に従来の基本情報を含めることによって、より詳細な運勢情報をその顧客に提供することができる。
【００１２】
請求項４に記載の発明は、前記運勢端末装置が、前記プリンタ装置に代えて、前記運勢情報を出力するための外部媒体記録装置を備えることを特徴とする。
【００１３】
この請求項４の発明により、運勢情報を利用する顧客は、ＣＤやＦＤ等の記録媒体に運勢情報を記録し、顧客が所有するパソコン等の端末装置を利用してその運勢情報を再利用することができる。
【００１４】
請求項５に記載の発明は、前記運勢端末装置が、前記運勢情報の利用時間に応じた利用料金を投入する為の現金投入口、及び／又は前記利用料金に応じて利用時間が記録された利用料金前払い方式によるプリペイドカードを入出力する為のカード入出力装置と、
前記運勢情報の利用中に於ける利用残時間を表示する時間表示装置と、
前記運勢端末装置からの利用開始要求信号に応答して、前記現金投入口からの現金、及び／又は前記カード入出力装置からの前記プリペイドカードを受け付けて、前記運勢情報の利用中に於ける前記利用残時間を前記時間表示装置に表示すると共に、前記利用残時間の範囲内で、その利用残時間を監視する利用残時間監視手段と、
前記利用残時間監視手段で所定の前記利用時間が経過する度毎の前記利用残時間を前記プリペイドカードに登録する利用時間登録手段とを更に備え、
前記情報管理装置が、前記運勢端末装置からの利用終了要求信号を受け付けた際、又は前記利用残時間監視手段で前記利用残時間がゼロに達した際に、前記運性情報の提供を終了する運勢情報提供終了手段を更に備えることを特徴とする。
【００１５】
この請求項５の発明により、運勢情報を利用する顧客は、その利用にあたって、現金、又はプリペイドカードの何れか、又は両方の利用方法を選択することができる。
【００１６】
【発明の実施の形態】
以下、本発明の一実施の形態を図に基づいて詳細に説明する。
図１は本発明の運勢情報提供システムのシステム構成を示す模式図である。
【００１７】
図１に示すように、運勢情報提供システム１００は、顧客が利用する複数の箇所に設置されたパソコン機能を備えた運勢端末装置１と、この運勢端末装置１とインターネット４を介して接続することで、顧客にその運勢情報を提供するシステム運営機関が備える情報管理装置１０とから構成される。
また、運勢端末装置１は、顧客との対面形式にて、その身体部分の個人画像を個人属性情報として取得するためのデジタルカメラ装置２と、運勢情報を出力するためのプリンタ装置３とから構成される。
【００１８】
情報管理装置１０は、運勢情報提供業務を遂行するために必要な情報を登録するためのデータベース２０と、運勢端末装置１からの検索要求を受信して、インターネット４を介してデータベース２０の検索結果を送信するＷｅｂサーバー１１と、データベース２０を管理するデータベースサーバー１２と、運勢情報提供業務の業務処理を行うアプリケーションサーバー１３とから構成される。
【００１９】
データベース２０は、個人属性テーブル２１と個人分割画像テーブル２２とパターン化画像テーブル２３とパターン化分割画像テーブル２４と運勢テーブル２５とから構成される。
【００２０】
個人属性テーブル２１は、デジタルカメラ装置２から取得した運勢情報を利用する顧客の身体部分の個人画像などが設定された個人属性情報を記録するものである。
個人属性情報には、検索キー部である運勢端末装置番号と、データ部に属する個人画像、登録年月日などの情報を格納記憶する。
デジタルカメラ装置２からの身体部分の個人画像を入力する実施の形態として、手の画像を入力する場合は、各指の位置をそれぞれ所定の位置に固定して、その手の画像を取得する。
顔の画像情報を入力する場合は、頭部の位置を所定の位置に固定して、その頭部の画像を取得する。
また、個人画像は、その身体部分の画像の明暗に応じた所定の太さの線画で表現し、所定の太さに達していない線は空白に置き換えて変換されている。
【００２１】
個人分割画像テーブル２２は、個人属性情報に設定されている個人画像を基に、身体部分に応じた所定の分割方法によって分割した複数の個人分割画像情報を記録するものである。
個人分割画像情報には、運勢端末装置番号と個人分割画像番号とからなる検索キー部と、データ部に属する個人分割画像、登録年月日などの情報を格納記憶する。
個人画像を分割する実施の形態として、手の場合は、各指毎に分割する方法に加えて、掌の中央部をマトリックス状に分割する方法や、掌の筋毎にその個人画像を分割する方法が挙げられる。
ここでの掌の筋毎とは、掌の所定の位置に於いて、所定の太さに達した線をそれぞれの線毎の画像として分割する。例えば、生命線の画像、感情線の画像、知能線の画像などに分割することを指す。
顔の場合は、額の部分、眉の部分、目の部分、鼻の部分、口の部分、および顎の部分の様に、顔全体を縦方向に数個に分割する方法などが挙げられる。
以上の個人画像を分割する実施の形態は、後述するパターン化分割画像についても同様の形態をとり、その分割した件数は同一である。
【００２２】
パターン化画像テーブル２３は、予め収集した身体部分の個人画像より、その画像の形状の特徴からその画像を分類したパターン化画像情報を記録するものである。
パターン化画像情報には、検索キー部であるパターン化画像番号と、データ部に属するパターン化画像、運勢コード、登録年月日などの情報を格納記憶する。
パターン化画像は、その身体部分の画像の明暗に応じた所定の太さの線画で表現し、所定の太さに達していない線は空白に置き換えて変換されている。
【００２３】
パターン化分割画像テーブル２４は、パターン化画像情報に設定されているパターン化画像を基に、身体部分に応じた所定の分割方法によって分割した複数のパターン化分割画像情報を記録するものである。
パターン化分割画像情報には、パターン化画像番号とパターン化分割画像番号とからなる検索キー部と、データ部に属するパターン化分割画像、登録年月日などの情報を格納記憶する。
【００２４】
運勢テーブル２５は、パターン化画像情報毎にその運勢を設定した運勢情報を記録するものである。
運勢情報には、運勢コードと占い分野とからなる検索キー部であると、データ部に属する運勢内容、登録年月日などの情報を格納記憶する。
占い分野は、健康、仕事、学業などの分野が設定される。
また、この運勢情報を、性別、生年月日別、血液型別に設定する場合は、検索キー部にこれらの情報を追加して、運勢内容をこれらの情報別に設定し、後述する画像情報照合手段３１にて、運勢端末装置１よりこれらの情報を入力する処理を追加する。
【００２５】
次に、運勢端末装置１の処理手段３０が運勢端末装置１の要求信号に応答して、利用時間の管理を行う処理手順と、情報管理装置１０の処理手段４０が、インターネット４を介して運勢端末装置１の処理手段３０と連携して、データベース２０の検索更新を行う処理手順について詳細に説明する。図２は本発明の運勢端末装置１の処理手段３０と情報管理装置１０に於ける処理手段４０の処理の流れ図であり、これらの処理手段は以下の手段から構成される。
【００２６】
すなわち、運勢端末装置１の処理手段３０は、利用残時間監視手段３１と利用時間登録手段３２とから構成される。
情報管理装置に於ける処理手段４０は、照合高速化手段４１ａを含む画像情報照合手段４１と運勢情報提供終了手段４２とから構成される。
【００２７】
利用残時間監視手段３１は、運勢端末装置１からの利用開始要求信号に応答して、利用料金に応じて利用時間が記録された利用料金前払い方式によるプリペイドカードを運勢端末装置１に搭載されたカード入出力装置より受け付けて、運勢情報の利用中に於ける利用残時間を運勢端末装置１に搭載された時間表示装置に表示すると共に、利用残時間の範囲内で、その利用残時間を監視する。
【００２８】
以下に、利用残時間監視手段３１の処理手順を詳細に説明する。
（１）運勢端末装置１からの運勢端末装置番号を付加した利用開始要求信号に応答して、システム日付とシステム時刻を取得する。
（２）運勢端末装置１に搭載されたカード入出力装置よりプリペイドカードに記録された利用残時間を取得して時間表示装置に表示する。
（３）画像情報照合手段４１に（１）の処理で取得した運勢端末装置番号を付加した利用開始要求信号を受け渡す。
（４）（１）の処理で取得したシステム日付とシステム時刻を基点として経過時間を１分毎に計数して、プリペイドカードに記録された利用残時間より経過した１分を減算して時間表示装置に表示し、利用時間登録手段３２に（１）の処理で取得した利用残時間を受け渡す。
利用残時間がゼロに達した場合は、運勢情報提供終了手段４２に（１）の処理で取得した運勢端末装置番号と利用残時間（ゼロ）を受け渡す。
【００２９】
利用時間登録手段３２は、利用残時間監視手段３１で所定の利用時間が経過する度毎の利用残時間をプリペイドカードに登録する。
【００３０】
以下に、利用時間登録手段３２の処理手順を詳細に説明する。
（１）利用時間登録手段３２は、運勢端末装置１の電源投入時に自動起動され、利用残時間監視手段３１からの利用残時間を受け付けるまでウエイトする。
（２）ウエイト解除後、利用残時間監視手段３１から受け付けた利用残時間をプリペイドカードに登録する。
【００３１】
画像情報照合手段４１は、運勢端末装置１のデジタルカメラ装置２からの個人画像が設定されている個人属性情報と予め登録されているパターン化画像情報とを照合し、そのパターン化画像情報の中で照合整合率が最も高い（最も小さい照合不整合率）のパターン化画像情報に属する運勢情報をプリンタ装置３に出力する。
また、照合高速化手段４１ａは、線画の太さで表現した分割画像情報毎に個人属性情報とパターン化画像情報とを照合し、個人属性情報とパターン化画像情報との照合過程に於いて、これまで照合したパターン化画像情報との照合整合率を下回った場合（照合不整合率を上回った場合）、そのパターン化画像情報との照合を中断して次のパターン化画像情報の照合を行う。
【００３２】
以下に、画像情報照合手段４１と照合高速化手段４１ａの処理手順を詳細に説明する。
（１）画像情報照合手段４１と照合高速化手段４１ａは、情報管理装置１０の電源投入時に自動起動され、利用残時間監視手段３１からの運勢端末装置番号を付加した利用開始要求信号を受け付けるまでウエイトする。
（２）ウエイト解除後、画像情報照合・画像情報入力画面を利用残時間監視手段３１から受け付けた運勢端末装置番号に該当する運勢端末装置１に送信する。
（３）運勢端末装置１のデジタルカメラ装置２からの身体部分の個人画像の入力を受け付けて、入力した個人画像より、その明暗を線画の太さで表現し、所定の太さに達していない線を空白に置き換えた個人画像に変換する。
デジタルカメラ装置２からの身体部分の個人画像を入力する実施の形態として、手の画像を入力する場合は、各指の位置をそれぞれ所定の位置に固定して、その手の画像を取得する。
顔の画像情報を入力する場合は、頭部の位置を所定の位置に固定して、その頭部の画像を取得する。
（４）変換した線画による個人画像を身体部分に応じた所定の分割方法によって複数の個人分割画像に分割する。
また、個人画像を分割する実施の形態として、手の場合は、各指毎に分割する方法に加えて、掌の中央部をマトリックス状に分割する方法や、掌の筋毎にその個人画像を分割する方法が挙げられる。
ここでの掌の筋毎とは、掌の所定の位置に於いて、所定の太さに達した線をそれぞれの線毎の画像として分割する。例えば、生命線の画像、感情線の画像、知能線の画像などに分割することを指す。
顔の場合は、額の部分、眉の部分、目の部分、鼻の部分、口の部分、および顎の部分の様に、顔全体を縦方向に数個に分割する方法などが挙げられる。
（５）（３）の処理で取得した個人画像を基に、個人属性情報を作成して個人属性テーブル２１に登録する。
（６）（４）の処理で分割した個人分割画像を基に、複数の個人分割画像情報を作成して個人分割画像テーブル２２に登録する。
（７）個人分割画像テーブル２２を検索して個人分割画像情報を取得する。
（８）パターン化画像テーブル２３を検索してパターン化画像情報を取得し、取得するパターン化画像情報が存在しなければ、（１１）の処理へ分岐する。
（９）取得したパターン化画像情報に設定されているパターン化画像番号より、パターン化分割画像テーブル２４を検索してパターン化分割画像情報を取得する。
（１０）それぞれ取得した個人分割画像情報に設定されている個人分割画像とパターン化分割画像情報に設定されているパターン化分割画像とを照合する。
この際の照合は、取得した個人分割画像情報とパターン化分割画像情報に設定されている同一運勢端末装置番号と同一パターン化画像番号について、全ての個人分割画像番号とパターン化分割画像番号を対象に、それぞれ設定されている個人分割画像とパターン化分割画像とを照合する。
また、照合結果が「整合不一致」と判定された場合は、その整合不一致件数を同一パターン化画像番号について累計し、そのパターン化画像番号と整合不一致件数とを記憶する。
但し、個人画像とパターン化画像の照合過程に於いて、同一パターン化画像番号についての整合不一致件数が既に記憶した整合不一致件数を上回るまで照合し、上回った場合は、処理効率を高めるために、以降の個人分割画像とパターン化分割画像とを照合は中断して、（８）の処理へ分岐し、次のパターン化画像情報に属するパターン化分割画像との照合を行う。
同一パターン化画像番号についての整合不一致件数が既に記憶した整合不一致件数を下回っている場合は、その同一パターン化画像番号について照合を続行して、その整合不一致件数を累計して、その整合不一致件数とそのパターン化画像番号で、記憶しているパターン化画像番号と整合不一致件数を更新する。
（１１）記憶されているパターン化画像番号より、パターン化画像テーブル２３を検索してパターン化画像情報を取得し、取得したパターン化画像情報に設定されている運勢コードより、運勢テーブル２５を検索して運勢情報を取得し、取得した運勢情報に設定されている運勢内容と（３）の処理で変換した線画による個人画像とをプリンタ装置３に出力する。
【００３３】
運勢情報提供終了手段４２は、運勢端末装置１からの利用終了要求信号を受け付けた際、又は利用残時間監視手段３１で利用残時間がゼロに達した際に、運性情報の提供を終了する。
【００３４】
以下に、運勢情報提供終了手段４２の処理手順を詳細に説明する。
（１）運勢情報提供終了手段４２は、情報管理装置１０の電源投入時に自動起動され、運勢端末装置１からの運勢端末装置番号を付加した利用終了要求信号、又は利用残時間監視手段３１からの運勢端末装置番号と利用残時間を受け付けるまでウエイトする。
（２）ウエイト解除後、受け付けた運勢端末装置番号に対応する画像情報照合手段４１と照合高速化手段４１ａの処理を中止する。
【００３５】
以上、本発明の一実施の形態を詳細に説明したが、本発明は、本実施の形態に限られるものではない。本発明の技術的範囲から逸脱しない範囲内で多様に変更実施することが可能である。
【００３６】
【発明の効果】
以上に説明したように、運勢情報を日常生活に利用する顧客は、その身体部分の画像情報と予め登録したパターン化画像情報とを照合高速化手段により迅速に照合することによって、手相や人相などの変化していく形相を取り入れた占いを容易に利用することができる。
【図面の簡単な説明】
【図１】本発明の運勢情報提供システムのシステム構成を示す模式図である。
【図２】本発明の運勢端末装置の処理手段と情報管理装置に於ける処理手段の処理の流れ図である。
【符号の説明】
１　運勢端末装置
２　デジタルカメラ装置
３　プリンタ装置
４　インターネット
１０　情報管理装置
１１　Ｗｅｂサーバー
１２　データベースサーバー
１３　アプリケーションサーバー
２０　データベース
２１　個人属性情報テーブル
２２　個人分割画像テーブル
２３　パターン化画像テーブル
２４　パターン化分割画像テーブル
２５　運勢テーブル
３０　運勢端末装置の処理手段
３１　利用残時間監視手段
３２　利用時間登録手段
４０　情報管理装置の処理手段
４１　画像情報照合手段
４１ａ　照合高速化手段
４２　運勢情報提供終了手段
１００　運勢情報提供システム
【図１】
2004129872.tif 000003
【図２】
2004129872.tif 000004